(57)【要約】  密閉アセンブリは、容器を閉じるために容器のネック部に嵌合されるよう適合された密閉キャップ（２）を有する。キャップ（２）は、上部壁（４）および上部壁から垂下する円筒状のスカート（５）を有する。貯蔵容器（７）は、スカート（５）内で径方向に上部壁（４）の下側に形成され、供給開口部（９）を有する。封止部材（３）が密閉キャップ（２）に嵌合されて貯蔵容器の供給開口部を閉じる。封止部材は、密閉キャップ（２）が容器から取外されると封止部材（３）が容器のネック部内に保持されたままで密閉キャップから分離されるので、供給開口部が開かれてそこに入った物質が容器に供給されるように、アセンブリが容器に適合されているときには締り嵌めで容器のネック部に嵌合している。
2009504518.tif 000002
【特許請求の範囲】
【請求項１】
密閉アセンブリであって、
容器を閉じるために容器（１）のネック部に嵌合されるよう適合された密閉キャップ（２）を含み、密閉キャップ（２）は、上部壁（４）と、上部壁から垂下する円筒状のスカート（５）と、スカート内で上部壁の下側に形成されて供給開口部（９）を備えた貯蔵容器（７）とを含み、前記密閉アセンブリはさらに
貯蔵容器（７）内の供給開口部（９）を閉じるために密閉キャップ（２）に嵌合されるよう適合された封止部材（３）を含み、
封止部材（３）は、密閉キャップ（２）が容器から取外されると、封止部材（３）が容器のネック部内に保持されたままで密閉キャップから分離されるので、供給開口部（９）が開かれて貯蔵容器に入っていた物質が容器に供給されるように、アセンブリが容器に嵌合されているときには締り嵌めで容器のネック部に嵌合されるよう適合される、アセンブリ。
【請求項２】
貯蔵容器（７）は、密閉キャップの上部壁（４）の下側から下向きに延在する円筒状の壁（８）によって形成される、請求項１に記載のアセンブリ。
【請求項３】
封止部材（３）は、容器のネック部に封止するよう嵌合するようサイズ決めされた円筒状のボア（１０）を含み、円筒状のボア内でその下端部において複数の径方向のブリッジ（１３）によってプラグ（１１）が同軸で支持され、プラグは、密閉キャップ（２）および封止部材（３）がともに嵌合されたときは貯蔵容器（７）を閉じるために貯蔵容器の円筒状の壁の開放端に嵌合するように適合され、密閉キャップ（２）が封止部材（３）から分離されたときは、物質が貯蔵容器（７）から通路（１５）を通って容器の中に供給されることができるように、通路（１５）が径方向のブリッジ（１３）の間で形成される、請求項２に記載のアセンブリ。
【請求項４】
第２の円筒状の壁（１２）は密閉キャップ（２）の下側から下向きに貯蔵容器（７）の径方向に外向きに延在して封止部材（３）に封止するよう嵌合する、請求項３に記載のアセンブリ。
【請求項５】
封止部材（３）は密閉キャップ（２）よりも軟質の材料で作られる、請求項１から４のいずれかに記載のアセンブリ。
【請求項６】
封止部材（３）はポリエチレンから作られ、密閉キャップ（２）はポリプロピレンから作られる、請求項１から５のいずれかに記載のアセンブリ。
【請求項７】
雄ねじを備えたネック部を有する容器（１）と組合されたアセンブリであって、
密閉キャップ（２）は、容器にアセンブリを適合させるために垂下するスカート（５）の内部で対応するねじを伴って形成される、請求項１から６のいずれかに記載のアセンブリ。
【発明の詳細な説明】
【技術分野】
【０００１】
本発明は容器密閉アセンブリに関し、特に、物質同士の混合が必要になるまでは容器内の物質（典型的には液体）とは別個に保つべき物質（これも典型的には液体）用の貯蔵容器（reservoir）を組込んだ容器密閉アセンブリに関する。
【背景技術】
【０００２】
このような構成は、たとえば混合が行なわれた直後に消費されるのが最善であるような一定の飲料について知られている。１つの公知の構成では、取外せないよう容器のネック部に嵌合された環状の末端部に、概して円筒状の液体用貯蔵容器がねじ込まれている。貯蔵容器がこの末端部から取外されると、密閉部材が貯蔵容器から外れて容器に落下し、貯蔵容器内の液体が末端部を通って容器に供給されることが可能になる。貯蔵容器が末端部から完全に取外されると混合液体が末端部を通って注がれ得る。
【発明の開示】
【発明が解決しようとする課題】
【０００３】
上述の構成は、たとえば標準的な（ＰＣＯネック仕上の）ＰＥＴボトルと、瓶にねじ込まれ、ネジを弛めて不正操作防止用リングを破ることにより瓶から取除かれる標準的な輪郭の密閉キャップとを用いた、標準的な容器充填装置とともに使用するには適していない。先行する構成では、末端部が取外し可能であってはならず、貯蔵容器が嵌合した末端部の輪郭が標準的な密閉キャップの輪郭とは全く異なるので、瓶の形状は異なったものでなければならない。
【０００４】
業界標準の瓶に対して修正を必要とせず、かつ密閉部の輪郭が充填ラインを修正しないで扱うことができるような解決策を与えることが、本発明の目的である。
【課題を解決するための手段】
【０００５】
したがって、本発明は容器用の密閉アセンブリを与え、この密閉アセンブリは、容器を閉じるために容器のネック部に嵌合されるよう適合された密閉キャップを含み、密閉キャップは、上部壁および上部壁から垂下する円筒状のスカートを含み、スカート内で上部壁の下側に形成されて供給開口部を備えた貯蔵容器を有し、密閉アセンブリはさらに、貯蔵容器内の供給開口部を閉じるために密閉キャップに嵌合されるよう適合された封止部材を含み、封止部材は、密閉キャップが容器から取外されると、封止部材が容器のネック部内に保持されたままで密閉キャップから分離されるので、供給開口部が開かれて貯蔵容器に入っていた物質が容器内に供給されるように、アセンブリが容器に嵌合されるときには締り嵌めで容器のネック部に嵌合するよう適合されている。
【０００６】
この構成は、貯蔵容器が満たされて封止部材が密閉キャップに嵌合され、端壁および垂下スカートのみから構成される単純な容器密閉部を扱うための標準的な機械設備によって自由に運搬され、扱われ得るようなアセンブリを形成する。
【発明を実施するための最良の形態】
【０００７】
本発明の実施例は、添付の図面を参照して下記に記載される。
図面に示される密閉アセンブリは、そのネック部に雄ねじを有する容器１とともに使用するためのものである。容器は瓶であって、典型的にはＰＥＴプラスチック、金属またはガラスで作られる。密閉アセンブリはキャップ２および封止部材３を含む。キャップ２は、上部壁から垂下する円筒状のスカート５を備えた上部壁４を有する。スカートは、スカート内部に容器に適合するための雌ねじを有する。図１に示されるように、キャップは、
密閉部が最初に開かれるときにスカートから破り取られる、不正操作防止リング６を伴って形成される。さらに図１からわかるように、キャップの外部輪郭は全く従来通りである。
【０００８】
キャップの上部壁４の下側のスカート５内に貯蔵容器７が形成される。貯蔵容器は上部壁４の下側から下向きに延在する円筒状の壁８から形成され、供給開口部９が壁８の自由端によって規定される。
【０００９】
封止部材３は、供給開口部９を閉じるために密閉部に嵌合されるようにサイズ決めされる。封止部材３は、円筒状のボア１０と、ボア１０内でその下端部において好ましくは４つの複数のブリッジ１３によって同軸で支持される、プラグ１１とを含む。
【００１０】
図５および図６を参照して、キャップは、貯蔵容器が少量の液体で満たされて封止部材がキャップに嵌合する前後で反転して示される。プラグ１１は円筒状の壁８の開放端に嵌合して、そこに供給開口部９を閉じるためのボア封止部を形成する。プラグは、アセンブリの運搬中、保管中、およびアセンブリを扱う間にキャップ２および封止部材３のアセンブリを嵌合した関係で保持するのを助けるために、壁８にスナップ式で嵌合してもよい。第２の円筒状の壁１２は、密閉キャップの下側から下向きに貯蔵容器の径方向に外向きに延在し、封止部材の円筒状のボア１０の上端部に対して封止するよう嵌合する。
【００１１】
アセンブリが図３に示されるように容器１に嵌合されると、封止部材のボア１０は締り嵌めで容器のネック部に嵌合され、密閉キャップ２が容器からねじを弛めて外されるときも封止部材３は容器のネック部内に保持されたままで密閉キャップから分離される。キャップ２および封止部材２が分離されると、供給開口部９が開かれるようにプラグ１１が貯蔵容器の壁８から出て来る。次いで、貯蔵容器に保持されていた液体が、封止部材においてブリッジ１３の間に形成された通路１５を通って容器内に供給されるように貯蔵容器を通過してくることができる。次いで、容器で混合された内容物を通路１５を通って注ぎ出すことができる。図３に最も良く示されるように、封止部材の上端部は、容器のネック部の上端部とキャップ２の下側との間に封止を形成する、外に向けられた径方向のフランジ１６を伴って形成される。
【００１２】
封止部材は密閉キャップよりも軟質の材料で作られている。好ましい実施例では、封止部材はポリエチレンから作られ、密閉キャップはポリプロピレンから作られる。
【００１３】
標準的な２８ｍｍの直径の瓶ネック部に使用するためのアセンブリでは、貯蔵容器は約１２ｍｍの直径を有し、約９ｍｍの深さまで満たすことができて、約１ｍｌの液体容積を与える。３８ｍｍの直径の瓶ネック部に使用するためのアセンブリでは、貯蔵容器は約２２ｍｍの直径を有し、約１３ｍｍの深さまで満たすことができて、約５ｍｌの液体容積を与える。このような貯蔵容器はスカート５の下まで延在せず、または極めて少ししか延在しない。必要であれば、一定の用途のために貯蔵容器をさらにはるかに深くすることができるが、それにより素早く扱うことは妨げられる。
【図面の簡単な説明】
【００１４】
【図１】本発明による密閉アセンブリが嵌合した容器の頂部の斜視図である。
【図２】密閉キャップが取外された、容器の頂部の斜視図である。
【図３】容器および密閉キャップアセンブリの上部を通る縦断面図である。
【図４】密閉キャップは取外されているが封止部材は容器のネック部に位置している容器の頂部を通る縦断面図である。
【図５】充填のために反転した密閉キャップを通る断面図である。
【図６】充填および封止部材の密閉キャップへの嵌合の後の密閉アセンブリを通る断面図である。
【図７】封止部材が配置された容器のネック部を上から見た斜視図である。
【図８】反転した密閉キャップを上から見た斜視図である。
【図１】
2009504518.tif 000003
【図２】
2009504518.tif 000004
【図３】
2009504518.tif 000005
【図４】
2009504518.tif 000006
【図５】
2009504518.tif 000007
【図６】
2009504518.tif 000008
【図７】
2009504518.tif 000009
【図８】
2009504518.tif 000010
【国際調査報告】
2009504518.tif 000011
2009504518.tif 000012
2009504518.tif 000013